(57)【要約】      （修正有）【課題】植物の葉体内にフェノール含有量を保持させながら、植物体内の栄養濃度を司る、ケルダール窒素含有量をも保持させて、当該複合光線の照射時間を個々に設定し、植物育成する方法を提供する。【解決手段】青色光、緑色光、黄色光、赤色光との複合光線を有する装置にて、夜間または、暗黒時に当該複合光線を当該植物に個々、別々又は同時に、照射し当該植物の葉体内にフェノール含有量を増加、減少させながら、ケルダール窒素をも増加、減少させ、植物育成制御する光線利用方法。【選択図】図１
2014131517.tif 000002
【特許請求の範囲】
【請求項１】
緑色光線の緑色ＬＥＤと黄色光線の黄色ＬＥＤが配置、設置されている当該ＬＥＤであり、緑色光線の緑色ＬＥＤに対して黄色光線の黄色ＬＥＤの設置割合は少であり、配列にては、当該緑色ＬＥＤに対して当該黄色ＬＥＤは、少なる配置割合を保持しつつ置き並べられて設置されている、緑色光線と黄色光線との複合光線を有する、当該ＬＥＤと当該単独光線を有する青色光線の当該青色ＬＥＤとを一平面状に置き並べ、当該複合光線を有するＬＥＤと当該単独光線を有する青色光線の当該青色ＬＥＤとを個々別々又は、同時に、点灯照射の時間を変えることを可能にして夜間又は、暗黒時に当該植物苗に点灯照射し、当該植物苗の葉体内にフェノール含有量を増加、減少させながら、ケルダール窒素含有量をも増加、減少させ、植物育成する為の光線利用する方法。
【請求項２】
緑色光線の緑色ＬＥＤと赤色光線の赤色ＬＥＤが配置、設置されている当該ＬＥＤであり、緑色光線の緑色ＬＥＤに対して赤色光線の赤色ＬＥＤの設置割合は少であり、配列にては、当該緑色ＬＥＤに対して当該赤色ＬＥＤは、少なる配置割合を保持しつつ置き並べられて設置されている、緑色光線と赤色光線との複合光線を有する、当該ＬＥＤと当該単独光線を有する青色光線の当該青色ＬＥＤとを一平面状に置き並べ、当該複合光線を有するＬＥＤと当該単独光線を有する青色光線の当該青色ＬＥＤとを個々別々又は、同時に、点灯照射の時間を変えることを可能にして夜間又は、暗黒時に当該植物苗に点灯照射し、当該植物苗の葉体内にフェノール含有量を増加、減少させながら、ケルダール窒素含有量をも増加、減少させ、植物育成する為の光線利用する方法。
【請求項３】
青色光線の青色ＬＥＤと黄色光線の黄色ＬＥＤが配置、設置されている当該ＬＥＤであり、青色光線の青色ＬＥＤに対して黄色光線の黄色ＬＥＤの設置割合は少であり、配列にては、当該青色ＬＥＤに対して当該黄色ＬＥＤは、少なる配置割合を保持しつつ置き並べられて設置されている、青色光線と黄色光線との複合光線を有する、当該ＬＥＤと当該単独光線を有する青色光線の当該青色ＬＥＤとを一平面状に置き並べ、当該複合光線を有するＬＥＤと当該単独光線を有する青色光線の当該青色ＬＥＤとを個々別々又は、同時に、点灯照射の時間を変えることを可能にして夜間又は、暗黒時に当該植物苗に点灯照射し、当該植物苗の葉体内にフェノール含有量を増加、減少させながら、ケルダール窒素含有量をも増加、減少させ、植物育成する為の光線利用する方法。
【請求項４】
青色光線の青色ＬＥＤと赤色光線の赤色ＬＥＤが配置、設置されている当該ＬＥＤであり、青色光線の青色ＬＥＤに対して赤色光線の赤色ＬＥＤの設置割合は少であり、配列にては、当該青色ＬＥＤに対して当該赤色ＬＥＤは、少なる配置割合を保持しつつ置き並べられて設置されている、青色光線と赤色光線との複合光線を有する、当該ＬＥＤと当該単独光線を有する青色光線の当該青色ＬＥＤとを一平面状に置き並べ、当該複合光線を有するＬＥＤと当該単独光線を有する青色光線の当該青色ＬＥＤとを個々別々又は、同時に、点灯照射の時間を変えることを可能にして夜間又は、暗黒時に当該植物苗に点灯照射し、当該植物苗の葉体内にフェノール含有量を増加、減少させながら、ケルダール窒素含有量をも増加、減少させ、植物育成する為の光線利用する方法。
【請求項５】
青色光線の青色ＬＥＤと赤色光線の赤色ＬＥＤが配置、設置されている当該ＬＥＤであり、単独光線を有する青色光線の当該青色ＬＥＤと単独光を有する赤色光の当該赤色ＬＥＤとを個々別々に又は、同時に、点灯照射の照射時間を変えることを可能にして一平面上に置き並べて夜間又は、暗黒時に当該植物苗に点灯照射し、当該植物苗の葉体内にフェノール含有量を増加、減少させながら、ケルダール窒素含有量をも増加、減少させ、植物育成する為の光線利用する方法。
【請求項６】
青色光線の青色ＬＥＤと黄色光線の黄色ＬＥＤが配置、設置されている当該ＬＥＤであり、単独光線を有する青色光線の当該青色ＬＥＤと単独光を有する黄色光の当該黄色ＬＥＤとを個々別々に又は、同時に、点灯照射の照射時間を変えることを可能にして一平面上に置き並べて夜間又は、暗黒時に当該植物苗に点灯照射し、当該植物苗の葉体内にフェノール含有量を増加、減少させながら、ケルダール窒素含有量をも増加、減少させ、植物育成する為の光線利用する方法。
【請求項７】
青色光線の青色ＬＥＤと緑色光線の緑色ＬＥＤが配置、設置されている当該ＬＥＤであり、単独光線を有する青色光線の当該青色ＬＥＤと単独光を有する緑色光の当該緑色ＬＥＤとを個々別々に又は、同時に、点灯照射の照射時間を変えることを可能にして一平面上に置き並べて夜間又は、暗黒時に当該植物苗に点灯照射し、当該植物苗の葉体内にフェノール含有量を増加、減少させながら、ケルダール窒素含有量をも増加、減少させ、植物育成する為の光線利用する方法。
【請求項８】
緑色光線の緑色ＬＥＤと赤色光線の赤色ＬＥＤが配置、設置されている当該ＬＥＤであり、単独光線を有する緑色光線の当該緑色ＬＥＤと単独光を有する赤色光線の当該赤色ＬＥＤとを個々別々に又は、同時に、点灯照射の照射時間を変えることを可能にして一平面上に置き並べて夜間又は、暗黒時に当該植物苗に点灯照射し、当該植物苗の葉体内にフェノール含有量を増加、減少させながら、ケルダール窒素含有量をも増加、減少させ、植物育成する為の光線利用する方法。
【請求項９】
緑色光線の緑色ＬＥＤと黄色光線の黄色ＬＥＤが配置、設置されている当該ＬＥＤであり、単独光線を有する緑色光線の当該緑色ＬＥＤと単独光線を有する黄色光線の当該黄色ＬＥＤとを個々別々に又は、同時に、点灯照射の照射時間を変えることを可能にして一平面上に置き並べて夜間又は、暗黒時に当該植物苗に点灯照射し、当該植物苗の葉体内にフェノール含有量を増加、減少させながら、ケルダール窒素含有量をも増加、減少させ、植物育成する為の光線利用する方法。
【請求項１０】
植物に夜間又は、暗黒時に照射する光の光量子量は２μｍｏｌ／ｍ２／ｓ以上で８μｍｏｌ／ｍ２／ｓ以下であることを特徴とする請求項１記載、請求項２記載、請求項３記載、請求項４記載の植物育成制御の為に、当該複合光線を照射し当該植物苗の葉体内にフェノール含有量を増加、減少させながら、ケルダール窒素含有量をも増加、減少させ、植物育成の光線利用する方法。
【請求項１１】
植物に夜間又は、暗黒時に照射する光の光量子量は２μｍｏｌ／ｍ２／ｓ以上で８μｍｏｌ／ｍ２／ｓ以下であることを特徴とする請求項５、請求項６、請求項７、請求項８、請求項９記載の植物育成制御の為に、照射し当該植物苗の葉体内にフェノール含有量を増加、減少させながら、ケルダール窒素含有量をも増加、減少させ、植物育成の光線利用する方法。
【発明の詳細な説明】
【技術分野】
【０００１】本発明は、植物の葉体に夜間、暗黒時に青色光、緑色光、黄色光、赤色光の複合光線を照射しうる装置にて、植物の葉体内にケルダール窒素、とフェノール含有量を増加と減少を促し植物育成制御方法に関する。
【背景技術】
【０００２】植物の栽培において害虫による被害により、作物生産量の減収が大きな問題となっている。害虫を防除の為に多大な経費を掛け農薬にての防除を施用しているのが現実であります。しかし薬剤の害虫への耐性が付きやすく農薬防除が困難になっている。
農薬害虫防除の処理回数の多さにより、植物の成育を妨げている。
【発明が解決しようとする課題】
【０００３】特にハダニ、アブラムシ等の害虫の防除に関しては天敵昆虫の利用が普及してきた。
しかし天敵昆虫に影響のない農薬との併用での使用防除の為に多く困難さがある。
又農薬害虫防除の回数の多く処理すればするほど、植物の成育を遅らせる原因となる。
【課題を解決するための手段】
【０００４】植物の葉体内に本来植物に、青色、緑色、赤色、黄色の複合させた光線を夜間、又は暗黒時に照射しうる装置にて、ケルダール窒素の含有量を増加、減少させて、害虫防除の為のフェノール物質含有量の増加と減少による、当該植物の過度のフェノール物質による当該植物の育成の抑制となるストレスを和らげながら、ケルダール窒素の含有量とフェノール物質含有量の増加と減少を促し、うどんこ病、ダニ等の病害虫の防除をする、植物育成制御技術に利用する方法。
【０００５】本来植物自体生合成している物質で、害虫が葉体を大量に食べ続けるとやがて害虫は弱り死滅することにより、植物自体の育成を保持させて、害虫の大量発生を防止させている穏やかな毒といわれているのが、フェノール物質であります。フェノール物質とケルダール窒素即ち、たんぱく質等の増加、減少効果は、植物自体の病害虫防除や植物の育成を制御できる。
【０００６】本発明によれば、青色、緑色、黄色、赤色の複合色光線を利用しうる装置にて、夜間、又は暗黒時に照射し、ケルダール物質を増加させながら、フェノール物質の増加、減少を促し、当該植物の育成の抑制となるストレスをも和らげ、植物の育成を制御できる方法。
【０００７】特許公開２０１０−２７９３４５
特許公開２０１１−１１５
特許公開２０１１−５５８１６
上記記載の文献にて光線利用にて葉体内にたんぱく質が増加していく事が実証されている事が明記されている。
【０００８】特願２０１２−２７７４１１
特願２０１３−２５９５８１
上記記載にては、光線利用の装置とフェノール含有量の増加等が実証されている事が明記されている。
【０００９】当該植物の葉体内に青色光を夜間、暗黒時に、照射し特に害虫であるハダニ、によるいちご作物被害の軽減、とまと作物被害をもたらすシルバーリーフコナジラミやタバココナジラミによる黄化葉巻病の軽減、等アブラムシ、青虫、ヨトウ虫、コナジラミ、コナガ、アザミウマ等の、葉の葉液を吸汁する害虫等を防除出来る。
【０００１０】前記記載の「［０００７］」、「［０００８］」項にて記載、実証明示されているごとく、植物の葉体に夜間、暗黒時に青色光、緑色光、黄色光、赤色光の複合光線を有する装置にて当該植物に照射し、当該植物の葉体内にケルダール窒素を増加させて植物育成することにより、植物自体に徐々に増加する害虫防除効果を持つフェノール物質、害虫駆除の為に過大に増加したフェノール物質が、当該植物の育成の抑制をもたらす、ストレスとなる為に、当該育成植物体内の栄養蛋白質たる、株疲れ対策となるケルダール窒素をも増加をせしめて、当該育成植物の生育の抑制となるフェノール含有量の減少をさせて植物の生育のストレスを和らげ、且つ植物の生育、生産スピードを上げ、害虫防除をも出来る植物育成制御が可能になる方法。
【００１１】植物の葉体に夜間、暗黒時に青色光、緑色光、黄色光、赤色光の複合光線を有する装置にて当該植物に照射処理ことにより、いちご植物とまと、きゅうり、ピーマン、すいか、メロン等の果菜類や小松菜、チンゲン菜、ほうれん草等の葉菜類植物や菊、ガーベラ、カーネンション、らん、シクラメン、ユリ等の花卉類又さくらんぼ、オウトウ等の果樹類の害虫防除が出来る。
【００１２】又、上記記載植物の葉体に夜間、暗黒時に、青色光、緑色光、黄色光、赤色光との複合光線を有する装置として照射し、当該植物の葉体内にケルダール窒素増加、減少させながら、当該植物を育成すると共に、当該植物の葉体内に徐々に増加しうる、害虫駆除効果を有する、フェノール物質含有量の増加、減少をも、もたらす。
【００１３】当該植物に過剰に増加するフェノール物質は、当該植物の育成の抑制となるストレスをもたらす為、当該植物の葉体内にケルダール窒素増加をうながし、過剰に増加するフェノール物質の含有量を減少させ、当該植物の育成を抑制するストレスをケルダール窒素含有量の増加効果にて和らげながら、成育スピードを上げることが出来る植物育成制御方法が可能になった。
【００１４】又植物の種類により、複合光線の光線色の装置により花芽等に、光色、光量の影響無き調整をして、植物育成の為に、夜間、暗黒時に植物に照射することが出来ることにより、植物育成制御の利用方法が可能になった。
【００１５】夜間とは、植物への太陽光等の自然光線が減少または、遮断した状態を云う。
【００１６】複合光線の光線色の装置とは、植物の種類に合わせ、植物の葉体に夜間、暗黒時に青色光、緑色光、黄色光、赤色光の複合光線照射のために、植物の花芽等に影響無き調整可能にして光線色や光量、照射時間等を変え照射しうる植物育成制御装置を云う。
【発明を実施するための形態】
【００１７】本発明の実施形態を、フェノール含有量を精度の高い方法にて４−アミノアンチピリン測定法にて測定する。当発明の基準になった上記記載の４−アミノアンチピリン測定法に基づき、いちご植物の葉体を乾燥後熱湯にて煮沸し、ろ過抽出しクロロホルム、フェノール試薬処理をし、２段階分析後にサンプルを取り出しＨＡＣＨ社製分光光度計３０００Ｒにてフェノール含有量の測定を行っています。
【００１８】又、本発明の実施形態を、タンパク質の定量法として、精度の高い方法として燃焼後に窒素量を測定するデルマ法と、硫酸分解後にアンモニア量を測定するケルダール法等があります。当発明の基準になった測定法は、後者の方法でいちご植物の葉柄、葉体をＨＡＣＨ社製ダイジェスタール２３１３０−２０型で強酸の硫酸にて４４０度Ｃにて煮沸させながら強酸化剤過酸化水素水を点滴し、２段階分解後にサンプルを取り出し、ＨＡＣＨ社製分光光度計３０００Ｒにてアンモニア量を測定するゲルタール法に基づくものであり，精度の高いタンパク質の定量法にて測定を行なっています。
【００１９】青色光、緑色光、黄色光、赤色光の複合光線を利用し、当該育成植物体内の栄養蛋白質たる、ケルダール窒素をも増加、減少せしめ、且つ当該いちご定植苗の育成中にいちご定植苗にフェノール含有量をも増加、減少させる。
【００２０】過大に害虫防除効果のフェノール含有量を増加させると、当該育成植物の成育の抑制となりうるストレスを和らげなければならぬ。
且つ植物の生育、生産スピードを上げ、害虫防除をも出来る植物育成制御方法が青色光、緑色光、黄色光、赤色光の複合光線有する装置にて当該植物に照射することにより、当該いちご定植苗の葉体内にケルダール窒素を増加、減少せしめ、且つフェノール含有量を増加、減少させ植物育成することが可能になったことを検証した事を、実施例に基づき説明する。
【実施例】
【００２１】実証ビニールハウスにて育成中のいちご定植のビニールハウス間口６ｍ奥行５０ｍに定植苗１９００本のハウス内に定植したビニールハウス５０ｍ内のいちご定植苗に於いて、ケルダール窒素の含有量とフェノールの含有量の比較試験区とした。【００２２】緑色光線と黄色光線との複合光線を有する当該ＬＥＤと当該単独光を有する青色光の青色ＬＥＤとを個々別々に夜間同時に点灯を開始し、消灯を夜間照射時間を設定して当該植物苗に照射した。
緑色光線と赤色光線との複合光線を有する当該ＬＥＤと当該単独光を有する青色光の青色ＬＥＤとを夜間同時に点灯を開始し、個々別々に消灯夜間照射時間を設定して当該植物苗に照射した。
点灯照射時間を変えることにより夜間、暗黒時に当該植物に点灯照射をすることにより、当該植物苗の葉体内のケルダール窒素含有量の増加、減少と、フェノール含有量の増加、減少を促し、植物育成する為の光線利用する方法を実証し、植物育成することが可能になったことを検証した事を、「［実施例］」に基づき説明する。
上記「［００２１］」記載のビニールハウス内において効果および実証結果を図１、図２、図３、図４、図５及び表１、表２、表３「［実施例］」に基づき詳細に説明する。【００２３】ビニールハウス平面図、図１のＣ−Ｃ矢視図立面図、図２の表示の如く、いちご植物の定植苗１１の上面１．５ｍの高さに緑色光の緑色ＬＥＤと黄色光の黄色ＬＥＤが配置、設置されている当該複合光線を有するＬＥＤであり、緑色光線と黄色光線との複合光線を有する当該複合光線を有するＬＥＤ８を５ｍ間隔に吊り下げ設置した。
次に当該複合光線を有するＬＥＤ８と当該複合光線を有するＬＥＤ８との中間部にビニールハウス平面図、図１の間口と直角方向に青色光の蛍光灯型青色ＬＥＤ９をビニールハウス平面図、図１の表示の如く吊り下げ設置した。【００２４】当該複合光線を有するＬＥＤ８とは、緑色光の緑色ＬＥＤに対して黄色光の黄色ＬＥＤの配置、設置割合は約５％であり、配列にては、当該緑色ＬＥＤに対して当該黄色ＬＥＤは、約５％配置割合を保持しつつ数回繰り返し置き並べられている、当該複合光線を有するＬＥＤである。【００２５】当該複合光線を有するＬＥＤ８と当該複合光線を有するＬＥＤ８との中間部に直角方向に青色光の蛍光灯型青色ＬＥＤ９を青色光の青色ＬＥＤとを当該定植苗１１の上面に一平面状に置き並べ、１．５ｍの高さから当該複合光線を有するＬＥＤ８は、夜間の照射時間３時間とし、当該単独光を有する青色光の青色ＬＥＤ９の夜間の照射時間をも３時間とし夜間同時に点灯照射し、当該定植苗に点灯を３０日間照射した。【００２６】当該植物苗の葉体内にフェノール含有量を増加させながら、ケルダール窒素をも増加させた植物育成した、当該データを表１にて表示。【００２７】ビニールハウス平面図、図１のＤ−Ｄ矢視図立面図、図３の表示の如く、定植苗１２の上面１．５ｍの高さに緑色光の緑色ＬＥＤと赤色光の赤色ＬＥＤが配置、設置されている当該複合光線を有するＬＥＤであり、緑色光線と赤色光線との複合光線を有する当該複合光線を有するＬＥＤ１０を５ｍ間隔に吊り下げ設置した。
次に当該複合光線を有するＬＥＤ１０と当該複合光線を有するＬＥＤ１０との中間部にビニールハウス平面図、図１の間口と直角方向に青色光の蛍光灯型青色ＬＥＤ９をビニールハウス平面図、図１の表示の如く吊り下げ設置した。【００２８】当該複合光線を有するＬＥＤ１０とは、緑光の緑色ＬＥＤに対して色光の色ＬＥＤの配置、設置割合は約５％であり、配列にては、当該緑色ＬＥＤに対して当該色ＬＥＤは、約５％配置割合を保持しつつ数回繰り返し置き並べられている、当該複合光線を有するＬＥＤである。【００２９】当該複合光線を有するＬＥＤ１０と当該複合光線を有するＬＥＤ１０との中間部に直角方向に青色光の蛍光灯型青色ＬＥＤ９を青色光の青色ＬＥＤとを当該定植苗１２の上面に一平面状に置き並べ、１．５ｍの高さから当該複合光線を有するＬＥＤ１０は、夜間の照射時間３時間とし、当該単独光を有する青色光の青色ＬＥＤ９の夜間の照射時間をも３時間とし夜間同時に点灯照射し、当該定植苗に点灯を３０日間照射した。【００３０】当該植物苗の葉体内にフェノール含有量を増加させながら、ケルダール窒素をも増加させた植物育成した、当該データを表１にて表示。【００３１】ビニールハウス平面図、図４のＥ−Ｅ矢視図立面図、図７の表示の如く、定植苗１３の上面１．５ｍの高さに緑色光の緑色ＬＥＤと黄色光の黄色ＬＥＤが配置、設置されている当該複合光線を有するＬＥＤであり、緑色光線と黄色光線との複合光線を有する当該複合光線を有するＬＥＤ８を５ｍ間隔に吊り下げ設置した。
次に当該複合光線を有するＬＥＤ８と当該複合光線を有するＬＥＤ８との中間部にビニールハウス平面図、図１の間口と直角方向に青色光の蛍光灯型青色ＬＥＤ９をビニールハウス平面図、図１の表示の如く吊り下げ設置した。【００３２】当該複合光線を有するＬＥＤ８とは、緑色光の緑色ＬＥＤに対して黄色光の黄色ＬＥＤの配置、設置割合は約５％であり、配列にては、当該緑色ＬＥＤに対して当該黄色ＬＥＤは、約５％配置割合を保持しつつ数回繰り返し置き並べられている、当該複合光線を有するＬＥＤである。【００３３】当該複合光線を有するＬＥＤ８と当該複合光線を有するＬＥＤ８との中間部にハウス平面図、図１の間口と直角方向に青色光の蛍光灯型青色ＬＥＤ９をビニールハウス平面図、図１の表示の如く吊り下げ設置している。【００３４】当該複合光線を有するＬＥＤ８と当該複合光線を有するＬＥＤ８との中間部に直角方向に青色光の蛍光灯型青色ＬＥＤ９を青色光の青色ＬＥＤとを当該定植苗１３の上面に一平面状に置き並べ、１．５ｍの高さから当該複合光線を有するＬＥＤ８は、夜間の照射時間３時間とし、当該単独光を有する青色光の青色ＬＥＤ９の夜間の照射時間は、６時間として夜間同時点灯開始照射し、当該定植苗に点灯を３０日間照射した。【００３５】当該植物苗の葉体内にフェノール含有量を増加させながら、ケルダール窒素をも増加させた植物育成した、当該データを表２にて表示。【００３６】ビニールハウス平面図、図１のＦ−Ｆ矢視図立面図、図８の表示の如く、定植苗１４の上面１．５ｍの高さに緑色光の緑色ＬＥＤと赤色光の赤色ＬＥＤが配置、設置されている当該複合光線を有するＬＥＤであり、緑色光線と赤色光線との複合光線を有する当該複合光線を有するＬＥＤ１０を５ｍ間隔に吊り下げ設置した。
次に当該複合光線を有するＬＥＤ１０と当該複合光線を有するＬＥＤ１０との中間部にビニールハウス平面図、図１の間口と直角方向に青色光の蛍光灯型青色ＬＥＤ９をビニールハウス平面図、図１の表示の如く吊り下げ設置した。【００３７】当該複合光線を有するＬＥＤ１０とは、緑光の緑色ＬＥＤに対して赤色光の赤色ＬＥＤの配置、設置割合は約５％であり、配列にては、当該緑色ＬＥＤに対して当該色ＬＥＤは、約５％配置割合を保持しつつ数回繰り返し置き並べられている、当該複合光線を有するＬＥＤである。【００３８】当該複合光線を有するＬＥＤ１０と当該複合光線を有するＬＥＤ１０との中間部にハウス平面図、図１の間口と直角方向に青色光の蛍光灯型青色ＬＥＤ９をビニールハウス平面図、図１の表示の如く吊り下げ設置している。【００３９】当該複合光線を有するＬＥＤ１０と当該複合光線を有するＬＥＤ１０との中間部に直角方向に青色光の蛍光灯型青色ＬＥＤ９を青色光の青色ＬＥＤとを当該定植苗１４の上面に一平面状に置き並べ、１．５ｍの高さから当該複合光線を有するＬＥＤ１０は、夜間の照射時間３時間とし、当該単独光を有する青色光の青色ＬＥＤ９の夜間の照射時間は６時間とし、夜間同時に点灯開始照射し、当該定植苗に点灯を３０日間照射した。【００４０】当該植物苗の葉体内にフェノール含有量を過大増加させながら、ケルダール窒素をも少なる増加をさせて植物育成した、当該データを表２にて表示。
【表１】
2014131517.tif 000003
【表２】
2014131517.tif 000004
【表３】
2014131517.tif 000005
【００４１】当該データを表２にて表示にて、当該植物苗の葉体内にフェノール含有量を過大増加させながら、ケルダール窒素をも少なる増加をさせて植物育成した。【００４２】上記記載の表２のデータの装置条件すなわち、「［００３１］」、「［００３２］」、「［００３３］」、「［００３４］」、「［００３５］」、「［００３６］」、「［００３７］」、「［００３８］」の設置条件を同じくし、設定時間を定植苗１１に１．５ｍの高さから当該複合光線を有するＬＥＤ８と当該複合光線を有するＬＥＤ８との中間部に直角方向に青色光の蛍光灯型青色ＬＥＤ９を青色光の青色ＬＥＤとを当該定植苗１１の上面に一平面状に置き並べ、当該複合光線を有するＬＥＤ８は、夜間の照射時間６時間とし、当該単独光を有する青色光の青色ＬＥＤ９の夜間の照射時間は、３時間とし夜間同時点灯照射し、当該植物に点灯を２０日間照射した。【００４３】上記記載の表２のデータの装置条件すなわち、「［００３１］」、「［００３２］」、「［００３３］」、「［００３４］」、「［００３５］」、「［００３６］」、「［００３７］」、「［００３８］」の設置条件を同じくし、  当該複合光線を有するＬＥＤ１０と当該複合光線を有するＬＥＤ１０との中間部に直角方向に青色光の蛍光灯型青色ＬＥＤ９を青色光の青色ＬＥＤとを当該定植苗１４の上面に一平面状に置き並べ、１．５ｍの高さから当該複合光線を有するＬＥＤ１０は、夜間の照射時間６時間とし、当該単独光を有する青色光の青色ＬＥＤ９の夜間の照射時間は３時間とし、夜間同時点灯照射し、当該植物に点灯を２０日間照射した。【００４４】上記、「［００４２］」、「［００４３］」のデータを表３にて記載した。【００４５】表、表示についてＬＥＤの光源、表１、緑色と黄色複合光線（３Ｈ）＋青色ＬＥＤ（３Ｈ）とは、緑色と黄色複合光線の緑色光の緑色ＬＥＤと黄色光の黄色ＬＥＤが配置、設置されている複合光線を有するＬＥＤである。
緑色光の緑色ＬＥＤに対して黄色光の黄色ＬＥＤの設置割合は約５％であり、配列にては、当該緑色ＬＥＤに対して当該黄色ＬＥＤは、約５％なる配置割合を保持しつつ数回繰り返し置き並べられて設置されている、緑色光と黄色光の当該複合光線を有する当該ＬＥＤである。【００４６】（３Ｈ）とは、当該緑光と黄色光の複合光線を有する当該ＬＥＤを夜間当該定植苗に夜間点灯する３時間として（３Ｈ）と表示した。
＋青色ＬＥＤ（３Ｈ）、の＋とは上記記載の当該緑光と黄色光の複合光線を有する当該ＬＥＤを夜間当該定植苗に夜間点灯する（３Ｈ）の３時間とし、同時に青色ＬＥＤ（３Ｈ）の３時間の点灯時間を加えるとして＋と表示した。【００４７】  表、表示についてＬＥＤの光源、表１、緑色と赤色複合光線（３Ｈ）＋青色ＬＥＤ（３Ｈ）とは、緑色と赤色複合光線の緑色光の緑色ＬＥＤと赤色光の赤色ＬＥＤが配置、設置されている緑色光と赤色光との複合光線を有する当該ＬＥＤである。
緑色光の緑色ＬＥＤに対して赤色光の黄色ＬＥＤの設置割合は約５％であり、配列にては、当該緑色ＬＥＤに対して当該赤色ＬＥＤは、約５％なる配置割合を保持しつつ数回繰り返し置き並べられて設置されている、緑色光と赤色光との複合光線を有する当該ＬＥＤである。【００４８】  （３Ｈ）とは、当該緑光と赤色光の複合光線を有する当該ＬＥＤを夜間当該定植苗に夜間点灯する３時間として（３Ｈ）と表示した。
＋青色ＬＥＤ（３Ｈ）、の＋とは上記記載の当該緑光と赤色光の複合光線を有する当該ＬＥＤを夜間当該定植苗に夜間点灯する（３Ｈ）の３時間とし、同時に青色ＬＥＤ（３Ｈ）の３時間の点灯時間を加えるとして＋と表示した。【００４９】表、表示についてＬＥＤの光源、表５、緑色と黄色複合光線（３Ｈ）＋青色ＬＥＤ（６Ｈ）とは、緑色と黄色複合光線の緑色光の緑色ＬＥＤと黄色光の黄色ＬＥＤが配置、設置されている緑色光と黄色光との複合光線を有する当該ＬＥＤである。
緑色光の緑色ＬＥＤに対して黄色光の黄色ＬＥＤの設置割合は約５％であり、配列にては、当該緑色ＬＥＤに対して当該黄色ＬＥＤは、約５％なる配置割合を保持しつつ数回繰り返し置き並べられて設置されている、緑色光と黄色光との複合光線を有する当該ＬＥＤである。【００５０】（３Ｈ）とは、当該緑光と黄色光の複合光線を有する当該ＬＥＤを夜間当該定植苗に夜間点灯する３時間として（３Ｈ）と表示した。
＋青色ＬＥＤ（６Ｈ）、の＋とは上記記載の当該緑光と黄色光の複合光線を有する当該ＬＥＤを夜間当該定植苗に夜間点灯する（３Ｈ）の３時間とし、同時に青色ＬＥＤ（６Ｈ）の６時間の点灯時間を加えるとして＋と表示した。【００５１】  表、表示についてＬＥＤの光源、表２、緑色と赤色複合光線（３Ｈ）＋青色ＬＥＤ（６Ｈ）とは、緑色と赤色複合光線の緑色光の緑色ＬＥＤと赤色光の赤色ＬＥＤが配置、設置されている緑色光と赤色光との複合光線を有する当該ＬＥＤである。
緑色光の緑色ＬＥＤに対して赤色光の黄色ＬＥＤの設置割合は約５％であり、配列にては、当該緑色ＬＥＤに対して当該赤色ＬＥＤは、約５％なる配置割合を保持しつつ数回繰り返し置き並べられて設置されている、緑色光と赤色光との複合光線を有する当該ＬＥＤである。【００５２】（３Ｈ）とは、当該緑光と赤色光の複合光線を有する当該ＬＥＤを夜間当該定植苗に夜間点灯する３時間として（３Ｈ）と表示した。
＋青色ＬＥＤ（３Ｈ）、の＋とは上記記載の当該緑光と赤色光の複合光線を有する当該ＬＥＤを夜間当該定植苗に夜間点灯する（３Ｈ）の３時間とし、同時に青色ＬＥＤ（６Ｈ）の６時間の点灯時間を加えるとして＋と表示した。【００５３】表、表示についてＬＥＤの光源、表３、緑色と黄色複合光線（６Ｈ）＋青色ＬＥＤ（３Ｈ）とは、緑色と黄色複合光線の緑色光の緑色ＬＥＤと黄色光の黄色ＬＥＤが配置、設置されている緑色光と黄色光との複合光線を有する当該ＬＥＤである。
緑色光の緑色ＬＥＤに対して黄色光の黄色ＬＥＤの設置割合は約５％であり、配列にては、当該緑色ＬＥＤに対して当該黄色ＬＥＤは、約５％なる配置割合を保持しつつ数回繰り返し置き並べられて設置されている、緑色光と黄色光との複合光線を有する当該ＬＥＤである。【００５４】（３Ｈ）とは、当該緑光と黄色光の複合光線を有する当該ＬＥＤを夜間当該定植苗に夜間点灯する３時間として（６Ｈ）と表示した。
＋青色ＬＥＤ（３Ｈ）、の＋とは上記記載の当該緑光と黄色光の複合光線を有する当該ＬＥＤを夜間当該定植苗に夜間点灯する（６Ｈ）の６時間とし、同時に青色ＬＥＤ（３Ｈ）の３時間の点灯時間を加えるとして＋と表示した。【００５５】  表、表示についてＬＥＤの光源、表３、緑色と赤色複合光線（６Ｈ）＋青色ＬＥＤ（３Ｈ）とは、緑色と赤色複合光線の緑色光の緑色ＬＥＤと赤色光の赤色ＬＥＤが配置、設置されている緑色光と赤色光との複合光線を有する当該ＬＥＤである。
緑色光の緑色ＬＥＤに対して赤色光の黄色ＬＥＤの設置割合は約５％であり、配列にては、当該緑色ＬＥＤに対して当該赤色ＬＥＤは、約５％なる配置割合を保持しつつ数回繰り返し置き並べられて設置されている、緑色光と赤色光との複合光線を有する当該ＬＥＤである。【００５６】（３Ｈ）とは、当該緑光と赤色光の複合光線を有する当該ＬＥＤを夜間当該定植苗に夜間点灯する６時間として（６Ｈ）と表示した。
＋青色ＬＥＤ（３Ｈ）、の＋とは上記記載の当該緑光と赤色光の複合光線を有する当該ＬＥＤを夜間当該定植苗に夜間点灯する（３Ｈ）の３時間とし、同時に青色ＬＥＤ（３Ｈ）の３時間の点灯時間を加えるとして＋と表示した。【００５７】表１は、点灯照射後３０日目にて、緑色と黄色の複合光線（３Ｈ）＋青色ＬＥＤ（３Ｈ）のフェノール含有量が、０．２７ｍｇ／Ｌである。
ケルダール窒素含有量が、１３０ＰＰＭある。【００５８】表２は、点灯照射後３０日目にて、緑色と黄色の複合光線（３Ｈ）＋青色ＬＥＤ（６Ｈ）のフェノール含有量が、０．３８ｍｇ／Ｌである。
ケルダール窒素含有量が、１１７ＰＰＭある。【００５９】表３は、点灯照射後２０日目にて、緑色と黄色の複合光線（６Ｈ）＋青色ＬＥＤ（３Ｈ）、フェノール含有量０．２３ｍｇ／Ｌである。
ケルダール含有量は、１２８ＰＰＭである。【００６０】「［００５７］」、「［００５８］」、「［００５９］」項記載の条件を基に、フェノール含有量の増加、減少度合いとケルダール窒素の含有量の増加、減少の度合いを検証してみる。
「［００５７］」、緑色と黄色の複合光線を３時間と青色ＬＥＤ３時間・
フェノール含有量・０．２７ｍｇ／Ｌ、
ケルダール窒素含有量・１３０ＰＰＭ
「［００５８］」、緑色と黄色の複合光線を３時間と青色ＬＥＤ６時間・
フェノール含有量が、０．３８ｍｇ／Ｌ、
ケルダール窒素含有量が、１１７ＰＰＭ
緑色と黄色の複合光線を３時間と青色ＬＥＤ３時間のうちの青色ＬＥＤ３時間を青色ＬＥＤ６時間に増やし、緑色と黄色の複合光線の３時間は変えずに夜間同時に照射すると、
フェノール含有量は０．２７ｍｇ／Ｌ、から０．３８ｍｇ／Ｌ、に増加。
ケルダール窒素含有量は１３０ＰＰＭから１１７ＰＰＭに減少。【００６１】「［００５９］」緑色と黄色の複合光線を３時間と青色ＬＥＤ６時間・
フェノール含有量が、０．３８ｍｇ／Ｌ、
ケルダール窒素含有量が、１１７ＰＰＭ
緑色と黄色の複合光線の３時間を６時間に増やし、青色ＬＥＤ６時間を青色ＬＥＤ３時間に減らし、夜間同時に照射すると、
フェノール含有量は０．３８ｍｇ／Ｌ、から０．２３ｍｇ／Ｌ、に減少。
ケルダール窒素含有量は１１７ＰＰＭから１２８ＰＰＭに増加。【００６２】表１は、点灯照射後３０日目にて、緑色と赤色の複合光線（３Ｈ）＋青色ＬＥＤ（３Ｈ）のフェノール含有量が、０．２５ｍｇ／Ｌである。
ケルダール窒素含有量が、１２６ＰＰＭある。【００６３】表２は、点灯照射後３０日目にて、緑色と赤色の複合光線（３Ｈ）＋青色ＬＥＤ（６Ｈ）のフェノール含有量が、０．３４ｍｇ／Ｌである。
ケルダール窒素含有量が、１１２ＰＰＭある。【００６４】表３は、点灯照射後２０日目にて、緑色と赤色の複合光線（６Ｈ）＋青色ＬＥＤ（３Ｈ）、フェノール含有量０．２１ｍｇ／Ｌである。
ケルダール含有量は、１２５ＰＰＭである。【００６５】「［００６２］」、「［００６３］」、「［００６４］」項記載の条件を基に、フェノール含有量の増加、減少度合いとケルダール窒素の含有量の増加、減少の度合いを検証してみる。
「［００６２］」、緑色と赤色の複合光線を３時間と青色ＬＥＤ３時間・
フェノール含有量・０．２５ｍｇ／Ｌ、
ケルダール窒素含有量・１２６ＰＰＭ
「［００６３］」、緑色と赤色の複合光線を３時間と青色ＬＥＤ６時間・
フェノール含有量が、０．３４ｍｇ／Ｌ、
ケルダール窒素含有量が、１１２ＰＰＭ【００６６】緑色と赤色の複合光線を３時間と青色ＬＥＤ３時間のうちの青色ＬＥＤ３時間を青色ＬＥＤ６時間に増やし、緑色と赤色の複合光線の３時間は変えずに夜間同時に照射すると、
フェノール含有量は０．２５ｍｇ／Ｌ、から０．３４ｍｇ／Ｌ、に増加。
ケルダール窒素含有量は１２６ＰＰＭから１１２ＰＰＭに減少。【００６７】緑色と赤色の複合光線の３時間を６時間に増やし、青色ＬＥＤ６時間を青色ＬＥＤ３時間に減らし、夜間同時に照射すると、
フェノール含有量は０．３４ｍｇ／Ｌ、から０．２１ｍｇ／Ｌ、に減少。
ケルダール窒素含有量は１１２ＰＰＭから１２５ＰＰＭに増加。
上記記載の「［００６０］」、「［００６１］」、「［００６５］」、「［００６６］」項記載の如く、夜間に緑色と黄色を有する当該複合光線や、緑色と赤色を有する当該複合光線との単独青色光線の青色ＬＥＤとの複合光線に於いて、当該定植苗に、夜間緑色と黄色を有する当該複合光線や、緑色と赤色を有する当該複合光線の照射時間と青色ＬＥＤとの照射時間を変える事により、当該定植苗の葉体内のフェノール含有量とケルダール窒素の含有量の増加、減少を司り当該定植苗の育成制御が実証出来た。【００６８】フェノール含有量とケルダール含有量の増減は、夜間に当該定植苗に当該複合光線の照射時間を変えて制御可能になることを実証出来た。
ケルダール窒素の含有量を増加、減少、フェノール含有量を増加、減少、植物育成の抑制となるフェノール含有量の増加を押えながら、植物体内のケルダール窒素すなわち、タンパク質濃度上げて、株疲れを防止出来る。
又フェノールの含有量を増加させて、害虫の駆除にもなる。
当該植物に青色、緑色、黄色、赤色光線を複合光線にして、夜間照射時間を変えて当該植物に照射して、植物の育成制御が出来ることが実証出来た。
【図面の簡単な説明】
【図１】は、ビニールハウス平面図。
【図２】は、Ｃ−Ｃ矢視立面図。
【図３】は、Ｄ−Ｄ矢視立面図。
【図４】は、Ｅ−Ｅ矢視立面図。
【図５】は、Ｆ−Ｆ矢視立面図。
【符号の説明】７・・ビニールハウス        ８・・緑色光の緑色ＬＥＤと黄色光の黄色ＬＥＤが配置、設置されている複合光線を有するＬＥＤ      ９・・青色光の蛍光型青色ＬＥＤ
１０・・緑色光の緑色ＬＥＤと赤色光の赤色ＬＥＤが配置、設置されている複合光線を有するＬＥＤ      １１・・いちご定植苗    １２・・いちご定植苗      １３・・いちご定植苗    １４・・いちご定植苗
【図１】
2014131517.tif 000006
【図２】
2014131517.tif 000007
【図３】
2014131517.tif 000008
【図４】
2014131517.tif 000009
【図５】
2014131517.tif 000010